(57)【要約】【課題】枕を使用する者にとって、その枕が適正であるか否かを簡単に判定できる適正枕判定装置、その方法、及びそのプログラムを提供する。【解決手段】枕３を使用して横になった使用者１の判定画像を表示部１４に表示し、判定画像内の使用者１の耳の位置に合わせて仰臥状態基準点Ｏｙを表示し、仰臥状態基準点Ｏｙを通過するように縦方向に延びる縦軸ｙを表示し、仰臥状態基準点Ｏｙから延び、縦軸ｙを基準として傾いた角度をなす第１傾斜線１０２と、第１傾斜線１０２よりさらに傾いた角度をなす第２傾斜線１０３との間の三角状範囲１０４を表示する。【選択図】      図４
2019096101.tif 000002
【特許請求の範囲】
【請求項１】
表示部と、
制御部と、
枕を使用して横になった使用者の判定画像を撮影するカメラとを有し、
前記制御部は、
前記判定画像を前記表示部に表示し、
前記判定画像内の前記使用者の耳の位置に合わせて仰臥状態基準点を表示し、
前記仰臥状態基準点を通過するように縦方向に延びる縦軸を表示し、
前記仰臥状態基準点から延び、前記縦軸を基準として傾いた角度をなす第１傾斜線と、前記第１傾斜線よりさらに傾いた角度をなす第２傾斜線との間の三角状範囲を表示する、
適正枕判定装置。
【請求項２】
前記制御部は、前記三角状範囲を透明に表示し、それ以外の範囲を半透明、又は、不透明に表示する、
請求項１に記載の適正枕判定装置。
【請求項３】
前記第１傾斜線は、前記縦軸から前記使用者の口方向へ５°傾いた角度であり、
前記第２傾斜線は、前記縦軸から前記使用者の口方向へ１５°傾いた角度である、
請求項１又は２に記載の適正枕判定装置。
【請求項４】
表示部と、
制御部と、
枕を使用して横になった使用者の判定画像を撮影するカメラとを有し、
前記制御部は、
前記判定画像を前記表示部に表示し、
前記判定画像内の前記使用者の喉の位置に合わせて横臥状態基準点を表示し、
前記横臥状態基準点を通過するように横方向に延びる横軸を表示し、
前記横臥状態基準点と前記横軸とを含む矩形状範囲を表示する、
適正枕判定装置。
【請求項５】
前記制御部は、前記矩形状範囲を透明に表示し、それ以外の範囲を半透明、又は、不透明に表示する、
請求項５に記載の適正枕判定装置。
【請求項６】
表示部と、
制御部と、
枕を使用して横になった使用者の判定画像を撮影するカメラとを有し、
前記制御部は、
前記判定画像を前記表示部に表示し、
前記判定画像内の前記使用者の耳の位置に合わせて仰臥状態基準点を表示し、
前記仰臥状態基準点を通過するように縦方向に延びる縦軸を表示し、
前記仰臥状態基準点から延び、前記縦軸を基準として傾いた角度をなす第１傾斜線と、前記第１傾斜線よりさらに傾いた角度をなす第２傾斜線との間の三角状範囲を表示し、
前記判定画像内の前記使用者の喉の位置に合わせて横臥状態基準点を表示し、
前記横臥状態基準点を通過するように横方向に延びる横軸を表示し、
前記横臥状態基準点と前記横軸とを含む矩形状範囲を表示する、
適正枕判定装置。
【請求項７】
枕を使用して横になった使用者の判定画像を表示部に表示し、
前記判定画像内の前記使用者の耳の位置に合わせて仰臥状態基準点を表示し、
前記仰臥状態基準点を通過するように縦方向に延びる縦軸を表示し、
前記仰臥状態基準点から延び、前記縦軸を基準として傾いた角度をなす第１傾斜線と、前記第１傾斜線よりさらに傾いた角度をなす第２傾斜線との間の三角状範囲を表示し、
前記判定画像内の前記使用者の喉の位置に合わせて横臥状態基準点を表示し、
前記横臥状態基準点を通過するように横方向に延びる横軸を表示し、
前記横臥状態基準点と前記横軸とを含む矩形状範囲を表示する、
適正枕判定方法。
【請求項８】
枕を使用して横になった使用者の判定画像を表示部に表示し、
前記判定画像内の前記使用者の耳の位置に合わせて仰臥状態基準点を表示し、
前記仰臥状態基準点を通過するように縦方向に延びる縦軸を表示し、
前記仰臥状態基準点から延び、前記縦軸を基準として傾いた角度をなす第１傾斜線と、前記第１傾斜線よりさらに傾いた角度をなす第２傾斜線との間の三角状範囲を表示し、
前記判定画像内の前記使用者の喉の位置に合わせて横臥状態基準点を表示し、
前記横臥状態基準点を通過するように横方向に延びる横軸を表示し、
前記横臥状態基準点と前記横軸とを含む矩形状範囲を表示する、
機能をコンピュータによって実現させるための適正枕判定プログラム。
【発明の詳細な説明】
【技術分野】
【０００１】
本発明は、枕を使用する使用者にとってその枕が適正であるか否かを判定できる適正枕判定装置、その方法、及びそのプログラムに関するものである。
【背景技術】
【０００２】
従来より、枕が、使用者にとって適正となるように寝具店などでは、使用者の頭や体型の凹凸形状の測定を行い、それに合った枕を提供しているが、そのためには高度な技術を用いた測定装置が使用されている。
【先行技術文献】
【特許文献】
【０００３】
【特許文献１】特開平６−３４３５４０号公報
【発明の概要】
【発明が解決しようとする課題】
【０００４】
しかし、枕を使用している状態を測定して、その枕が使用者にとって適正であるか否かを家庭で判定できる簡単な装置や方法がないという問題点があった。
【０００５】
そこで本発明は上記問題点に鑑み、枕を使用する者にとって、その枕が適正であるか否かを簡単に判定できる適正枕判定装置、その方法、及びそのプログラムを提供することを目的とする。
【課題を解決するための手段】
【０００６】
本発明は、表示部と、制御部と、枕を使用して横になった使用者の判定画像を撮影するカメラとを有し、前記制御部は、前記判定画像を前記表示部に表示し、前記判定画像内の前記使用者の耳の位置に合わせて仰臥状態基準点を表示し、前記仰臥状態基準点を通過するように縦方向に延びる縦軸を表示し、前記仰臥状態基準点から延び、前記縦軸を基準として傾いた角度をなす第１傾斜線と、前記第１傾斜線よりさらに傾いた角度をなす第２傾斜線との間の三角状範囲を表示する、適正枕判定装置である。
【０００７】
また、本発明は、表示部と、制御部と、枕を使用して横になった使用者の判定画像を撮影するカメラとを有し、前記制御部は、前記判定画像を前記表示部に表示し、前記判定画像内の前記使用者の喉の位置に合わせて横臥状態基準点を表示し、前記横臥状態基準点を通過するように横方向に延びる横軸を表示し、前記横臥状態基準点と前記横軸とを含む矩形状範囲を表示する、適正枕判定装置である。
【発明の効果】
【０００８】
本発明によれば、枕が適正な高さであるか否かを簡単に判定できる。
【図面の簡単な説明】
【０００９】
【図１】本実施形態に係る定規を表示部に表示したスマートフォンの正面図である。
【図２】スマートフォンのブロック図である。
【図３】プログラムのフローチャートである。
【図４】定規を仰臥状態の使用者に使用した場合の説明図であって、（ａ）は枕が適正な状態、（ｂ）は枕が低すぎる状態、（ｃ）は枕が高すぎる状態を示す。
【図５】定規を横臥状態の使用者に使用した場合の説明図であって、（ａ）は枕が適正な状態、（ｂ）は枕が低すぎる状態、（ｃ）は枕が高すぎる状態を示す。
【発明を実施するための形態】
【００１０】
以下、本発明の一実施形態の適正枕判定装置について、図１〜図５を参照して説明する。本実施形態では、適正枕判定装置として、スマートフォンで実現した場合について説明する。しかし、この適正枕判定装置は、スマートフォンに限らず、カメラを有するタブレット端末、携帯電話、携帯端末、ノートパソコンなどで実現してもよい。
【００１１】
（１）スマートフォン１０
スマートフォン１０の構成について図１と図２を参照して説明する。
【００１２】
図１に示すように、スマートフォン１０の板状の本体１２の表面には、液晶表示装置又は有機ＥＬ装置よりなる表示部１４が設けられ、この表示部１４の表面にはタッチパネル１６が形成されている。表示部１４の一方の外側には操作ボタン１８が形成され、他方の外側にはスピーカ２４が形成されている。また、本体１２の裏面には、カメラ２０が設けられている。さらに、本体１２内部には、図２に示すように制御部２６、メモリなどよりなる記憶部２８、音声通信とデータ通信を行う通信部３０が内蔵されている。
【００１３】
図２のブロック図に示すように、制御部２６には、表示部１４、タッチパネル１６、操作ボタン１８、カメラ２０、マイク２２、スピーカ２４、記憶部２８、通信部３０が接続されている。
【００１４】
（２）適正枕判定プログラムの内容
枕３の高さが適正か否かを判定するための適正枕判定プログラム（以下、単に「本プログラム」という）について説明する。本プログラムは、通信部３０を介して、外部から記憶部２８にダウンロードしてインストールする。
【００１５】
本プログラムは、高さが適正かどうかを判定したい枕３を、敷き用寝具（例えば、マットレスや敷き布団）に載せ、測定対象者である使用者１がその敷き用寝具２に寝た状態の画像（以下、「判定画像」という）を撮影して使用するものである。まず、この本プログラムは起動すると、枕３を使用した使用者１が、敷き用寝具２に横になった状態をカメラ２０で撮影し、表示部１４にこの判定画像を表示する。そして、この判定画像に重ねて長方形の定規１００と水平線１０１を表示する。定規１００は、敷き用寝具２で仰臥状態にある使用者１の枕３が適正であるか否かを判定するためと、敷き用寝具２で横臥状態にある使用者１の枕３が適正であるか否かを判定するための両方の機能を有する。表示部１４に表示される定規１００の構成について図１を参照して説明する。
【００１６】
定規１００は、長方形の枠体の表示領域である。定規１００内には、仰臥状態基準点０ｙが表示されている。この仰臥状態基準点０ｙは、定規１００を使用する場合において、仰臥状態にある使用者１の耳（厳密には耳門）の位置になるように設定する。
【００１７】
定規１００内には、横臥状態基準点０ｘが表示されている。この横臥状態基準点０ｘは、定規１００を使用する場合において、横臥状態にある使用者１の喉（厳密には、喉の上下方向における中央）の位置になるように設定する。
【００１８】
定規１００内には、縦軸ｙと横軸ｘとが直角に交叉するように表示されている。縦軸ｙは、仰臥状態基準点０ｙを通過するように表示されている。横軸ｘは、横臥状態基準点０ｘを通過するように表示されている。
【００１９】
表示部１４には、定規１００外の下方に点線の水平線が表示される。なお、縦軸ｙは、水平線１０１に対して直角に交叉する線で表示され、横軸ｘは、水平線１０１に対して平行な線で表示される。
【００２０】
定規１００内には、第１透明範囲と第２透明範囲が表示されている。
【００２１】
定規１００内の第１透明範囲は、仰臥状態基準点０ｙと、仰臥状態基準点０ｙから延び、縦軸ｙを基準として傾いた角度をなす第１傾斜線１０２と第１傾斜線１０２よりさらに傾いた角度をなす第２傾斜線１０３との間の三角状範囲１０４とから構成されている。この角度は、仰臥状態における枕３の適正に関する各種の試験結果によって５°〜１５°と考えられ、縦軸ｙと第１傾斜線１０２との間の角度θ１は、使用者１の口方向へ５°傾いた角度に設定しており、縦軸ｙと第２傾斜線１０３との間の角度θ２は、使用者１の口方向へ１５°傾いた角度に設定している。これによって、後述するように、仰臥状態にある枕３の使用者１に対して枕３が適正であるか否かを判定することができる。
【００２２】
定規１００内の第２透明範囲は、横臥状態基準点０ｘと、水平線１０１と横軸ｘとの間の矩形状範囲１０５とから構成されている。これによって、後述するように、横臥状態にある枕３の使用者１に対して枕３が適正であるか否かを判定することができる。
【００２３】
定規１００内の上記した透明範囲以外の範囲（図１におけるハッチング線で示した範囲）は、透明のまま又は不透明にしておいてもよいが、半透明にしておくと枕３の使用者１に対して枕３が適正であるか否かを判定するのに便利である。
【００２４】
（３）本プログラムの動作状態
次に、本プログラムの動作状態について図３のフローチャートを参照して説明する。
【００２５】
まず、高さが適正かどうかを判定したい枕３を頭の下に置いて、使用者１が敷き用寝具２に仰臥状態で横になる。
【００２６】
ステップＳ１において、スマートフォン１０の所有者は、操作ボタン１８やタッチパネル１６を使用して、本プログラムを起動しステップＳ２に進む。
【００２７】
ステップＳ２において、本プログラムが起動すると、カメラ２０が動作を開始し、カメラから取り込んだ画像を表示部１４の画面に判定画像として表示する。具体的には、所有者は敷き用寝具２に仰臥状態で寝ている使用者の顔部付近の判定画像をカメラから取り込み、図４に示すように表示部１４の画面に表示させ、ステップＳ３に進む。
【００２８】
ステップＳ３において、表示部１４の画面には、点線で表示された水平線１０１が表示されているため、所有者は、判定画像中の敷き用寝具２と水平線１０１とが画面の中で平行になるように、持っているスマートフォン１０の姿勢を調整し、ステップＳ４に進む。
【００２９】
ステップＳ４において、表示部１４の画面に表示されている使用者１の耳に指でタッチをすると、その位置が仰臥状態基準点Ｏｙに設定される。そしてステップＳ５に進む。
【００３０】
ステップＳ５においては、制御部２６は、表示部１４に定規１００を使用者１の判定画像と重ねて表示する。この場合に先ほど設定した仰臥状態基準点Ｏｙが、定規１００内に配されるようにし、かつ、縦方向に縦軸ｙを表示する。敷き用寝具２と水平線１０１が平行であるため、この縦軸ｙは、垂直方向に設定される。そしてステップ６Ｓに進む。
【００３１】
ステップＳ６において、定規１００内に第１傾斜線１０２と第２傾斜線１０３とを表示し三角状範囲１０４を透明に表示し、その他の領域を半透明の領域で表示する。この状態で制御部２６はその判定画像を記憶部２８に記憶させる。そしてステップＳ７に進む。
【００３２】
ステップＳ７において、仰臥状態にあった使用者１は横臥状態になり、その横臥状態の使用者１の判定画像をスマートフォン１０の所有者が、カメラ２０から再び取り込み、表示部１４の画面に表示し、ステップＳ８に進む。
【００３３】
ステップＳ８において、表示部１４の画面には、点線で表示された水平線１０１が表示されているため、所有者は、判定画像中の敷き用寝具２と水平線１０１とが画面の中で平行になるように、持っているスマートフォン１０の姿勢を調整し、ステップＳ４に進む。
【００３４】
ステップＳ９において、所有者は表示部１４に写っている使用者１の喉の位置を指でタップし、制御部２６はその位置を横臥状態基準点Ｏｘと設定する。そしてステップＳ１０に進む。
【００３５】
ステップＳ１０において、制御部２６は、表示部１４に定規１００を表示する。この場合に、定規１００内に横臥状態基準点Ｏｘが表示され、この横臥状態基準点Ｏｘを通過するように横方向に横軸ｘを表示する。なお、この横軸ｘは、水平線１０１と平行になるように表示されるため、横軸ｘは水平になる。制御部２６はこの定規１００を横臥状態の使用者１の判定画像と重ねて表示する。そしてステップＳ１１に進む。
【００３６】
ステップＳ１１において、定規１００と横軸ｘと横臥状態基準点Ｏｘが表示され、使用者１と重なっている状態の判定画像を制御部２６は記憶部２８に記憶する。
【００３７】
以上のようにして、撮影した仰臥状態の使用者１の判定画像と、横臥状態の使用者１の判定画像とを寝具店の店内や家庭において表示部１４に再表示し、枕３の高さが適正であるか否かを次のように判定する。
【００３８】
（４）判定方法
次に、本プログラムで撮影した図４と図５の判定画像を用いて、枕３が使用者１にとって適正か否かの判定方法について説明する。
【００３９】
図４は、定規１００と仰臥状態にある枕３の使用者１を撮影した判定画像であり、仰臥状態基準点０ｙに使用者１の耳の位置を合わせて、三角状範囲１０４から使用者１の目の位置を覗いた状態を示した判定画像である。
【００４０】
図４（ａ）の判定画像は、三角状範囲１０４から使用者１の目が視認できるので、枕３が適正な状態であることを示す。
【００４１】
図４（ｂ）の判定画像は、三角状範囲１０４から使用者１の目が視認できず、鼻が視認できるので、枕３が低すぎる状態であることを示す。
【００４２】
図４（ｃ）の判定画像は、三角状範囲１０４から使用者１の目が視認できず、目の上方が視認できるので、枕３が高すぎる状態であることを示す。
【００４３】
図５は、定規１００と横臥状態にある枕３の使用者１を撮影した判定画像であり、横臥状態基準点０ｘに使用者１の喉（上下方向中央位置）の位置を合わせて、矩形状範囲１０５から使用者１の鼻の位置を覗いた状態を示した判定画像である。
【００４４】
図５（ａ）の判定画像は、横軸ｘが鼻尖（鼻先）上を通っているのが視認できるので、枕３が適正な状態であることを示す。
【００４５】
図５（ｂ）の判定画像は、横軸ｘの下に鼻尖（鼻先）が位置しているのを視認できるので、枕３が低すぎる状態であることを示す。
【００４６】
図５（ｃ）の判定画像は、横軸ｘの上に鼻尖（鼻先）が位置しているのを視認できるので、枕３が高すぎる状態であることを示す。
【００４７】
（５）効果
本実施形態によれば、定規１００と仰臥状態の使用者１を重ねた判定画像から、使用している枕３が適正な高さであるか否かを寝具店の店内や家庭において簡単に判定できる。
【００４８】
また、定規１００と横臥状態の使用者１とを重ねた判定画像から、使用している枕３が適正な高さであるか否かを寝具店の店内や家庭において簡単に判定できる。
【００４９】
上記のような判定は、スマートフォン１０に本プログラムをインストールするだけで、寝具店の店内や家庭でも簡単に判定できる。
【００５０】
また、記憶部２８に記憶した図４や図５の判定画像を寝具店に送信し、その使用者に合った枕３を、専門家に提案してもらうこともできる。
【変更例】
【００５１】
変更例について説明する。
【００５２】
（１）変更例１
上記実施形態では、枕３が適正であるか否かを人間が判定したが、これに代えて、制御部２６が自動的に適正枕か否かを判定してもよい。具体的には、次のように行う。
【００５３】
まず、仰臥状態について説明する。判定画像を記憶する前に、仰臥状態の使用者１の目の位置を、所有者の指でタッチして、判定画像中における目の位置を特定する。
【００５４】
制御部２６は、図４（ａ）に示すように、三角状範囲１０４内にタッチした使用者１の目がある場合には、制御部２６は適正な枕であると判定して、表示部１４に「適正な枕」と表示する。
【００５５】
図４（ｂ）に示すように、三角状範囲１０４より左側にタッチした使用者１の目がある場合には、制御部２６は枕が低すぎると判定して、表示部１４に「低い枕」と表示する。
【００５６】
図４（ｃ）に示すように、三角状範囲１０４より右側にタッチした使用者１の目がある場合には、制御部２６は枕が高すぎると判定して、表示部１４に「高い枕」と表示する。
【００５７】
次に、横臥状態について説明する。判定画像を記憶する前に、横臥状態の使用者１の鼻尖の位置を、所有者の指でタッチして、判定画像中における鼻尖の位置を特定する。
【００５８】
図５（ａ）に示すように、横軸ｘが鼻尖上を通っている場合には、制御部２６は枕３が適正な枕であると判定して、表示部１４に「適正な枕」と表示する。
【００５９】
図５（ｂ）に示すように、横軸ｘの下に鼻尖がある場合には、制御部２６は枕３が低すぎると判定して、表示部１４に「低い枕」と表示する。
【００６０】
図５（ｃ）に示すように、横軸ｘの上に鼻尖がある場合には、制御部２６は枕３が高すぎると判定して、表示部１４に「高い枕」と表示する。
【００６１】
（２）変更例２
上記実施形態では、定規１００は、敷き用寝具２で仰臥状態にある使用者１の枕３が適正であるか否かを判定するためと、敷き用寝具２で横臥状態にある使用者１の枕３が適正であるか否かを判定するための両方の機能を有したが、これに限らず、どちらか一方の機能のみを有していてもよい。
【００６２】
（３）変更例３
上記実施形態では、仰臥状態基準点０ｙと横臥状態基準点０ｘとを同位置に配置したが、これに限らず異なる位置に設定してもよい。
【００６３】
（４）変更例４
透明範囲について、仰臥状態基準点０ｙ及び三角状範囲１０４の一方又は双方を不透明又は半透明とし、それ以外の部分を透明範囲としてもよい。また、横臥状態基準点０ｘ及び矩形状範囲１０５の一方又は双方を不透明又は半透明とし、それ以外の部分を透明範囲としてもよい。
【００６４】
（５）変更例５
上記実施形態では、表示部１４内において使用者１の頭の位置が左側に撮影されていたが、頭の位置が右側にある場合には、定規１００を左右反転させればよい。
【００６５】
（６）変更例６
上記実施形態では、定規１００を構成する枠体は、長方形であったが。これに代えて楕円、円などのその他の形状でもよい。
【００６６】
（７）変更例７
上記実施形態では、表示部１４内に定規１００を設定したが、この定規１００を設定せず、表示部１４内において縦軸ｙ、横軸ｘ、仰臥状態基準点０ｙ、横臥状態基準点０ｘ、水平線１０１、第１傾斜線１０２、第２傾斜線１０３、三角状範囲１０４、矩形状範囲１０５のみを判定画像に重ねて表示しても、本実施形態は実施できる。
【００６７】
（８）その他
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００６８】
１・・・使用者、２・・・敷き用寝具、３・・・枕、１０・・・スマートフォン、１４・・・表示部、２０・・・カメラ、２６・・・制御部、２８・・・記憶部、１００・・・定規、１０１・・・水平線、１０２・・・第１傾斜線、１０３・・・第２傾斜線、１０４・・・三角状範囲、１０５・・・矩形状範囲
【図１】
2019096101.tif 000003
【図２】
2019096101.tif 000004
【図３】
2019096101.tif 000005
【図４】
2019096101.tif 000006
【図５】
2019096101.tif 000007